(57)【要約】  【課題】  複数層の記録再生層を有する光ディスク装置において、ＯＰＣ処理の所要時間の短縮化等が可能な技術を提供する。  【解決手段】  光ディスクのローディング後、第１回目の情報記録時のＯＰＣ処理では、第１、第２の記録再生層のそれぞれに情報記録を行い、その再生信号特性から各記録再生層の記録パワーまたは発光タイミングを設定し、第２回目以降の情報記録時のＯＰＣ処理では、第１の記録再生層に情報記録を行い、その再生信号特性から該第１の記録再生層の記録パワーまたは発光タイミングを設定し、該設定した記録パワーまたは発光タイミングと、上記第１回目の情報記録時に設定した第１、第２の記録再生層間の記録パワー比または発光タイミングずれ量とから、第２の記録再生層の記録パワーまたは発光タイミングを演算で求め設定する。【選択図】  図４
2005259257.tif 000002
【特許請求の範囲】
【請求項１】
複数の記録再生層を有する光ディスクに対し情報記録を行う構成を備えた光ディスク装置であって、
第１の時点で、第１、第２の記録再生層のそれぞれに情報記録を実施し、その再生信号特性に基づき該第１、第２の記録再生層に適する記録パワーまたは発光タイミングを設定する第１の制御手段と、
上記設定した第１、第２の記録再生層に適する記録パワーの比または該設定した第１、第２の記録再生層に適する発光タイミングのずれ量を求める第２の制御手段と、
第２の時点で、上記第１の記録再生層に情報記録を実施し、その再生信号特性に基づき該第１の記録再生層に適する記録パワーまたは発光タイミングを設定するとともに、該設定した記録パワーと上記比とから、または、該設定した発光タイミングと上記ずれ量とから、上記第２の記録再生層に適する記録パワーまたは発光タイミングを設定する第３の制御手段と、
を備え、上記光ディスクのローディング後、第１回目の情報記録は、上記第１の手段で設定した上記記録パワーまたは発光タイミングで行い、第２回目以降の情報記録は、上記第３の手段で設定した上記記録パワーまたは発光タイミングで行う構成としたことを特徴とする光ディスク装置。
【請求項２】
上記第１及び第３の制御手段は、上記再生信号特性として、再生信号のβ値、ジッタまたはクロックパルスに対するシフト偏差量を用いる構成である請求項１に記載の光ディスク装置。
【請求項３】
上記第１、第２及び第３の制御手段は、マイコンまたはＤＳＰの内部に形成される請求項１に記載の光ディスク装置。
【請求項４】
複数の記録再生層を有する光ディスクに対して情報記録を行う光ディスク装置の情報記録方法であって、
第１、第２の記録再生層のそれぞれに情報記録を行う第１のステップと、
上記第１のステップにおける記録情報の再生信号特性に基づき上記第１、第２の記録再生層それぞれに適する記録パワーまたは発光タイミングを設定する第２のステップと、
上記設定した記録パワー相互間の比または発光タイミング相互間のずれ量を求める第３のステップと、
上記第１の記録再生層に情報記録を行う第４のステップと、
上記第４のステップにおける記録情報の再生信号特性に基づき、上記第１の記録再生層に適した記録パワーまたは発光タイミングを設定する第５のステップと、
上記第５のステップで設定した記録パワーと上記第３のステップで求めた上記比とから、または、上記第５のステップで設定した発光タイミングと上記第３のステップで求めた上記ずれ量とから、上記第２の記録再生層に適する発光タイミングを設定する第６のステップと、
を経て、記録パワーまたは発光タイミングの設定を行い、情報記録を行うことを特徴とする光ディスク装置の情報記録方法。
【請求項５】
上記第２のステップ及び上記第５のステップでは、上記再生信号特性として、再生信号のβ値、ジッタまたはクロックパルスに対するシフト偏差量を用いる請求項４に記載の光ディスク装置の情報記録方法。
【請求項６】
上記第５のステップでは、現在の記録対象層としてレーザ光を照射中の層、テスト領域の使用量や使用頻度が少ない層、または、前回、ＯＰＣ処理を実行しなかった層を、上記第１の記録再生層として、上記記録パワーまたは発光タイミングを設定する請求項４に記載の光ディスク装置の情報記録方法。
【請求項７】
複数の記録再生層を有する光ディスクに対して情報記録を行う光ディスク装置の情報記録用プログラムであって、
装置内の制御手段に、
第１、第２の記録再生層のそれぞれに情報記録を行う第１の手順と、
上記第１の手順における記録情報の再生信号特性に基づき上記第１、第２の記録再生層それぞれに適する記録パワーまたは発光タイミングを設定する第２の手順と、
上記設定した記録パワー相互間の比または発光タイミング相互間のずれ量を求める第３の手順と、
上記第１の記録再生層に情報記録を行う第４の手順と、
上記第４の手順における記録情報の再生信号特性に基づき、上記第１の記録再生層に適した記録パワーまたは発光タイミングを設定する第５の手順と、
上記第５の手順において設定した記録パワーと上記第３の手順で求めた上記比とから、または、上記第５の手順で設定した発光タイミングと上記第３の手順で求めた上記ずれ量とから、上記第２の記録再生層に適する発光タイミングを設定する第６の手順と、
を実行させて、記録パワーまたは発光タイミングの設定を行い、情報記録を行わせることを特徴とする光ディスク装置の情報記録用プログラム。
【発明の詳細な説明】
【技術分野】
【０００１】
本発明は、複数の記録再生層を有する光ディスクに対し情報を記録する構成を備えた光ディスク装置に係り、特に、情報記録時のＯＰＣ（Ｏｐｔｉｍｕｍ  Ｐｏｗｅｒ  Ｃｏｎｔｒｏｌ）処理技術に関する。
【背景技術】
【０００２】
本発明に関連する従来技術としては、例えば、特開２００１−３１９３３２号公報（特許文献１）に記載されたものがある。該公報には、ディスク装置において、ディスクの複数層の各記録層に対応するゲイン可変用の増幅器などの自動調整に要する時間を短縮するために、各増幅器など毎に、ある記録層に関する値から自動調整した値にさらに、周囲温度に依存して設定される値を加算してそれを初期値とし、他の記録層の値の設定を、該初期値に基づき行うとする構成が記載されている。
【０００３】
【特許文献１】特開２００１−３１９３３２号公報
【発明の開示】
【発明が解決しようとする課題】
【０００４】
上記従来技術においては、増幅器などにおけるゲイン調整などの各調整処理を各記録層（記録再生層）それぞれに対して行い、それと同様にＯＰＣ処理も各記録層（記録再生層）への情報記録を伴った処理を行うため、該ＯＰＣ処理のために要する時間を十分に短縮できないおそれがある。
本発明の課題点は、上記従来技術の状況に鑑み、光ディスク装置において、ＯＰＣ処理時、複数の記録再生層への情報記録度数を減らし、ＯＰＣ処理時間の一層の短縮化、またはこれと併せ、テスト領域（ＤＴＺ（Ｄｉｓｃ  Ｔｅｓｔ  Ｚｏｎｅ））の使用頻度の低減化や使用領域の低減化が図れるようにすることである。
本発明の目的は、かかる課題点を解決し、光ディスク装置において、使い勝手性を向上させ得る技術を提供することにある。
【課題を解決するための手段】
【０００５】
上記課題点を解決するために、本発明では、光ディスク装置において、光ディスクのローディング後、第１回目の情報記録時は、ＯＰＣ処理として、第１、第２の記録再生層のそれぞれに情報記録を行い、その再生信号特性から各記録再生層の記録パワーまたは発光タイミングを設定し、第２回目以降の情報記録時は、ＯＰＣ処理として、第１の記録再生層に情報記録を行い、その再生信号特性から該第１の記録再生層の記録パワーまたは発光タイミングを設定し、該設定した記録パワーまたは発光タイミングと、上記第１回目の情報記録時に設定した第１、第２の記録再生層間の記録パワー比または発光タイミングずれ量とから、第２の記録再生層の記録パワーまたは発光タイミングを演算し設定する構成とする。
具体的には、上記を基本的要件とする光ディスク装置、その情報記録方法及び情報記録用プログラムを本発明として提案する。
【発明の効果】
【０００６】
本発明によれば、光ディスク装置において、ＯＰＣ処理時間の短縮化と、テスト領域の使用頻度の低減化や使用領域の低減化等が図れ、使い勝手性を向上させることができる。
【発明を実施するための最良の形態】
【０００７】
以下、本発明を実施するための最良の形態につき、図面を用いて説明する。
図１〜図４は、本発明の第１の実施形態の説明図である。図１は、第１の実施形態としての光ディスク装置の構成例図、図２は、図１の装置における第１回目の情報記録時の記録パワー設定の説明図、図３は、同装置における第２回目以降の情報記録時の記録パワー設定の説明図、図４は、同装置における記録パワー設定の動作手順の説明図である。
【０００８】
図１において、１は、複数層の記録再生層（第１、第２の記録再生層）を有するＤＶＤ＋Ｒ、ＤＶＤ−Ｒなどの光ディスク、２は、光ディスク１を回転駆動するためのディスクモータ、３は、ディスクモータ２を駆動するモータ駆動部、４は、光ディスク１に対しレーザ光を照射し、該光ディスク１に情報としてのデータを記録したり、記録されたデータを読み出したりする光ピックアップ、５は、光ピックアップ４が光ディスク１の所定のトラック位置への移動を制御するためのピックアップ駆動部、６は、光ピックアップ４により読み出されたデータに基づき再生信号の増幅処理を行うＲＦ増幅部、７は、光ピックアップ４内のレーザダイオード（図示なし）を駆動しレーザ光を出射させるレーザ駆動部、８は、ＲＦ増幅部６からの信号をデジタル化してデータ処理を行うＤＳＰ（Ｄｉｇｉｔａｌ  Ｓｉｇｎａｌ  Ｐｒｏｃｅｓｓｏｒ）、９は装置全体の制御を行うマイコン、１３は、外部装置としてのホストコンピュータ、１０は、マイコンが、要求信号に対応してホストコンピュータ１３へ送出される転送データを所定時間保持しておくための記憶手段としてのメモリ、１１は、ホストコンピュータ１３からの転送データまたはＤＳＰ８からの転送データを一時的に保存するためのバッファメモリ、１２は、マイコン９の指示により、ホストコンピュータ１３からの要求信号を受信したり、データをバッファメモリ１１に取入れたり、該バッファメモリ１１のデータをホストコンピュータ１３に送信したりするインターフェース部である。
【０００９】
本実施形態では、ＤＳＰ８とマイコン９が光ディスク装置の制御手段を構成する。ＤＳＰ８は、マイコン９により制御され、ＲＦ増幅部６からの再生信号に基づき、トラッキング制御用信号やフォーカス制御用信号やモータ制御用信号などを形成するとともに、ホストコンピュータ１３側からの指示に従い、マイコン９とともに、記録情報の形成、記録情報を記録するための制御などを行う。トラッキング制御用信号やフォーカス制御用信号は、ピックアップ駆動部５に入力されて光ピックアップ４を制御し、モータ制御用信号は、モータ駆動部３に入力されて、ディスクモータ２の回転を制御する。記録情報や該記録情報を記録するための制御信号は、レーザ駆動部７に入力されて、光ディスクへの情報の記録動作を制御する。情報（記録情報）の記録にあたっては、ＤＳＰ８は、マイコン９により制御された状態で、レーザダイオード（図示なし）から所定の記録パワーや所定の発光タイミングのレーザ光が得られるように記録ストラテジの設定を行う。すなわち、ＤＳＰ８またはマイコン９は、制御手段として、光ディスクのローディング後の第１回目の情報記録時（第１の時点）において、第１、第２の記録再生層のそれぞれに対し順次、ホストコンピュータ１３からの転送データの記録を実施し、その再生信号特性に基づき該第１、第２の記録再生層に適する記録パワーまたは発光タイミングを設定する制御手段や、該設定した第１、第２の記録再生層に適する記録パワーの比または該設定した第１、第２の記録再生層に適する発光タイミングのずれ量を求める制御手段や、第２回目以降の情報記録時（第２の時点）において、第１の記録再生層に情報記録を実施し、その再生信号特性に基づき該第１の記録再生層に適する記録パワーまたは発光タイミングを設定するとともに、該設定した記録パワーと上記比とから上記第２の記録再生層に適する記録パワーを設定する、または、該設定した発光タイミングと上記ずれ量とから上記第２の記録再生層に適する発光タイミングを設定する制御手段などを含む。第１回目の情報記録、第２回目の情報記録とも、それぞれで設定される記録パワーまたは発光タイミングにより実施される。
【００１０】
図２は、図１の装置における第１回目の情報記録時における記録パワー設定の説明図で、横軸に記録パワーＰｗ、縦軸にβ値をとって表した特性である。
図２において、Ａは、光ディスクの２層の記録再生層のうちの「Ｌａｙｅｒ０」の特性、Ｂは、「Ｌａｙｅｒ１」の特性である。ローディング後、第１回目の情報記録時は、「Ｌａｙｅｒ０」、「Ｌａｙｅｒ１」のそれぞれに対してＯＰＣ処理を実施する。すなわち、記録再生層「Ｌａｙｅｒ０」、「Ｌａｙｅｒ１」にそれぞれ、ホストコンピュータ１３からの情報データを、記録パワーを変化させて記録し、その再生信号から、再生信号特性として各記録パワーに対応するβ値を得る（β＝（ａ１＋ａ２）／（ａ１−ａ２）、ａ１…再生信号の最大レベル、ａ２…再生信号の最小レベル）。「Ｌａｙｅｒ０」ではβ値の目標値をβ０とし、「Ｌａｙｅｒ１」ではβ値の目標値をβ１としている。「Ｌａｙｅｒ０」で目標のβ０を満たす記録パワーはＰｗ０、「Ｌａｙｅｒ１」で目標のβ１を満たす記録パワーはＰｗ１である。Ｐｗ０を、該「Ｌａｙｅｒ０」に適する記録パワーとして設定し、Ｐｗ１を、該「Ｌａｙｅｒ１」に適する記録パワーとして設定する。第１回目の情報記録時、「Ｌａｙｅｒ０」では、上記設定された記録パワーＰｗ０のレーザ光が照射されてデータ領域に情報記録が行われ、「Ｌａｙｅｒ１」では、上記設定された記録パワーＰｗ１のレーザ光が照射されてデータ領域に情報記録が行われる。情報記録後、記録パワーＰｗと記録パワーＰｗ１の比Ｑが演算される。上記「Ｌａｙｅｒ０」、「Ｌａｙｅｒ１」それぞれへの情報記録の実施、目標β値からの記録パワーＰｗ０、Ｐｗ１の設定、比Ｑの演算等は全て、ＤＳＰ８やマイコン９による制御によってなされる。
【００１１】
図３は、図１の装置における第２回目以降の情報記録時における記録パワー設定の説明図である。
第２回目以降の情報記録時は、上記「Ｌａｙｅｒ０」、「Ｌａｙｅｒ１」のうちのいずれか一方のみに対しＯＰＣ処理を実行する。該第２回目以降の情報記録時にＯＰＣ処理を実行する記録再生層としては、記録対象層として現在レーザ光が照射されている層、テスト領域の使用量（使用領域量）や使用頻度が少ない層、または、前回、ＯＰＣ処理を実行しなかった層などを選択する。ここでは、例えば「Ｌａｙｅｒ０」に対してＯＰＣ処理を行うとする。
【００１２】
図３において、Ａ'は、光ディスクの記録再生層「Ｌａｙｅｒ０」の特性である。すなわち、記録再生層「Ｌａｙｅｒ０」に、ホストコンピュータ１３からの情報データが、記録パワーを変化させて記録され、その再生信号から、再生信号特性として各記録パワーに対応するβ値が得られる。β値の目標値をβ０とするとき、該β０を満たす記録パワーはＰｗ０'であり、該Ｐｗ０'が「Ｌａｙｅｒ０」に適する記録パワーとして設定される。一方、記録再生層「Ｌａｙｅｒ１」に適する記録パワーＰｗ１'は、演算処理により上記比Ｑと上記記録パワーＰｗ０'との積として求められ（Ｐｗ１'＝Ｑ・Ｐｗ０'）、設定される。上記「Ｌａｙｅｒ０」への情報記録の実施、目標β値からの記録パワーＰｗ０'の設定、Ｐｗ１'の演算と設定は全て、ＤＳＰ８やマイコン９による制御によってなされる。
【００１３】
図４は、図１の装置における記録パワー設定の動作手順の説明図である。
図４において、
（１）光ディスクのローディング後、第１回目の情報記録時のＯＰＣ処理（第１回目のＯＰＣ処理）を開始する（ステップＳ４０１）。
（２）光ディスクの記録再生層「Ｌａｙｅｒ０」（Ｌ０）に対し、記録パワーＰｗを変化させて情報信号を記録する（ステップＳ４０２）。
（３）記録情報の再生信号のβ値を測定する（ステップＳ４０３）。
（４）上記測定したβ値の範囲に、予め設定した目標値β０が含まれるか否かを判別する（ステップＳ４０４）。
（５）上記ステップＳ４０４における判別の結果、測定したβ値の範囲に目標値β０が含まれるときは、そのときの記録パワーＰｗの値を、記録再生層Ｌ０に適した記録パワーＰｗ０として設定する（ステップＳ４０５）。一方、該判別の結果、測定したβ値の範囲に目標値β０が含まれないときは、上記ステップＳ４０２の動作に戻る。
（６）光ディスクの記録再生層「Ｌａｙｅｒ１」（Ｌ１）に対し、記録パワーＰｗを変化させて情報信号を記録する（ステップＳ４０６）。
（７）記録情報の再生信号のβ値を測定する（ステップＳ４０７）。
（８）上記測定したβ値の範囲に、予め設定した目標値β１が含まれるか否かを判別する（ステップＳ４０８）。
（９）上記ステップＳ４０９における判別の結果、測定したβ値の範囲に目標値β１が含まれるときは、そのときの記録パワーＰｗの値を、記録再生層Ｌ１に適した記録パワーＰｗ１として設定する（ステップＳ４０９）。一方、該判別の結果、測定したβ値の範囲に目標値β１が含まれないときは、上記ステップＳ４０６の動作に戻る。
（１０）記録パワーＰｗ１と記録パワーＰｗ０との比Ｑを演算により求める（ステップＳ４１０）。
（１１）ホストコンピュータ１３から指示された位置に応じた記録再生層（記録再生層Ｌ０または記録再生層Ｌ１）に、その記録再生層に応じた記録パワーで、すなわち記録再生層Ｌ０には記録パワーＰｗ０で、記録再生層Ｌ１には記録パワーＰｗ１で、それぞれのデータ領域（Ｄａｔａ  Ａｒｅａ）に情報の書き込みを行う（ステップＳ４１１）。
【００１４】
（１２）第２回目以降の情報記録時のＯＰＣ処理（第２回目以降のＯＰＣ処理）を開始する（ステップＳ４２１）。
（１３）ＯＰＣ処理を実行する記録再生層を決定する（ステップＳ４２２）。ここでは、記録再生層Ｌ０をＯＰＣ処理の実行層とする。
（１４）記録再生層Ｌ０においてＯＰＣ処理を実行する（ステップＳ４２３）。ＯＰＣ処理としては、記録パワーＰｗを変化させての情報信号の記録、記録情報の再生信号のβ値の測定、該β値の範囲に目標値β０が含まれるか否かの判別、該判別結果に基づく記録パワーＰｗ０'の設定などを行う。
（１５）記録再生層Ｌ１に適する記録パワーＰｗ１'を、演算処理により上記比Ｑと上記記録パワーＰｗ０'との積（Ｐｗ１'＝Ｑ・Ｐｗ０'）として求め、設定する（ステップＳ４２４）。
（１６）ホストコンピュータ１３から指示された位置に応じた記録再生層（記録再生層Ｌ０または記録再生層Ｌ１）に、その記録再生層に応じた記録パワーで、すなわち記録再生層Ｌ０には記録パワーＰｗ０'で、記録再生層Ｌ１には記録パワーＰｗ１'で、それぞれのデータ領域（Ｄａｔａ  Ａｒｅａ）に情報の書き込みを行う（ステップＳ４２５）。
【００１５】
上記ステップＳ４０１〜ステップＳ４１１における動作及び上記ステップＳ４２１〜ステップＳ４２５における動作は、ＤＳＰ８やマイコン９が、予め設定されているプログラムに従ってそれぞれの手順を実行することで実施される。該プログラムは、装置内のメモリなどに記憶されている。
【００１６】
なお、上記ステップＳ４２１〜ステップＳ４２３における第２回目以降のＯＰＣ処理は、温度変動があった場合や、異常パワーが検出された場合や、Ｒ−ＯＰＣ（Ｒｕｎｎｉｎｇ  ＯＰＣ）の補正許容範囲外となった場合に行われるものとする。また、上記ステップＳ４２２において、記録再生層Ｌ１をＯＰＣ処理の実行層とした場合は、上記ステップＳ４２３において、記録再生層Ｌ１においてＯＰＣ処理を実行し、該記録再生層Ｌ１に適する記録パワーＰｗ１'の設定を行い、さらに、上記ステップＳ４２４においては、記録再生層Ｌ０に適する記録パワーＰｗ０'を、上記比Ｑと上記記録パワーＰｗ１'とから演算処理により求め（Ｐｗ０'＝Ｐｗ１'／Ｑ）、設定する。
【００１７】
上記本発明の第１の実施形態によれば、第２回目以降の情報記録時のＯＰＣ処理を、記録再生層「Ｌａｙｅｒ０」（Ｌ０）、記録再生層「Ｌａｙｅｒ１」（Ｌ１）のいずれか一方にだけ行うため、ＯＰＣ処理の時間を短縮することができる。また、テスト領域（ＤＴＺ）の使用頻度の低減化や使用領域の低減化も可能となる。
【００１８】
また、ＯＰＣ処理によらず、記録発光量の変動分を検出し、該変動分を補正するように記録パワーを制御してもよい。この場合には、例えば記録再生層「Ｌａｙｅｒ０」での補正比（補正係数）を△Ｐｗ０とすると、上記記録再生層Ｌ１における記録再生用の記録パワーＰｗ１'は、上記記録パワーＰｗ１と該△Ｐｗ０との積として求められる（Ｐｗ１'＝Ｐｗ１・△Ｐｗ０）。
【００１９】
さらに、光ディスク上に予め形成された情報に記載されている各記録再生層毎の「推奨」記録パワー値を用いて、記録再生用の記録パワーを設定してもよい。この場合には、例えば記録再生層「Ｌａｙｅｒ０」の「推奨」記録パワー値をＰｗ０ＩＮＤ、記録再生層「Ｌａｙｅｒ１」の「推奨」記録パワー値をＰｗ１ＩＮＤとしたとき、該両者の比Ｑ（＝Ｐｗ１ＩＮＤ／Ｐｗ０ＩＮＤ）を用いることで、記録再生層「Ｌａｙｅｒ０」のＯＰＣ処理をすることなく、記録再生層「Ｌａｙｅｒ０」の記録再生用の記録パワーを求め、設定することができる。
【００２０】
図５は、本発明の第２の実施形態としての光ディスク装置におけるＯＰＣ処理の説明図である。本第２の実施形態では、ＯＰＣ処理において、再生信号のジッタから記録再生層に適する記録パワーを求めて設定する。（ａ）は、光ディスクのローディング後、第1回目のＯＰＣ処理における記録パワー設定の説明図、（ｂ）は、第２回目以降のＯＰＣ処理における記録パワー設定の説明図である。いずれも、横軸に記録パワー、縦軸に再生信号のジッタをとった特性として示す。
【００２１】
図５（ａ）において、Ａは、光ディスクの２層の記録再生層のうちの「Ｌａｙｅｒ０」の特性、Ｂは、「Ｌａｙｅｒ１」の特性である。ローディング後、第１回目の情報記録時は、「Ｌａｙｅｒ０」、「Ｌａｙｅｒ１」のそれぞれに対してＯＰＣ処理を実施する。すなわち、記録再生層「Ｌａｙｅｒ０」、「Ｌａｙｅｒ１」にそれぞれ、ホストコンピュータ１３からの情報データを、記録パワーを変化させて記録し、その再生信号から、再生信号特性として各記録パワーに対応するジッタ値σを得る。「Ｌａｙｅｒ０」、「Ｌａｙｅｒ１」のそれぞれにつき、ジッタ値σが、予め設定されたジッタ閾値以下となる記録パワーの範囲（上限値、下限値）と適正値（記録パワーの経時劣化を見込み、例えば、下限値と上限値との間を約３：２に内分する値）を求め、該求めた適正値を、「Ｌａｙｅｒ０」、「Ｌａｙｅｒ１」それぞれに適する記録パワーとして設定する。「Ｌａｙｅｒ０」では、ジッタがジッタ閾値以下となる記録パワーの上限値はＰｗ０ｃ、下限値はＰｗ０ａ、適正値はＰｗ０ｂである。また、「Ｌａｙｅｒ１」では、ジッタがジッタ閾値以下となる記録パワーの上限値はＰｗ１ｃ、下限値はＰｗ１ａ、適正値はＰｗ１ｂである。第１回目の情報記録時、「Ｌａｙｅｒ０」では、上記設定された記録パワーＰｗ０ｂのレーザ光が照射されてデータ領域に情報記録が行われ、「Ｌａｙｅｒ１」では、上記設定された記録パワーＰｗ１ｂのレーザ光が照射されてデータ領域に情報記録が行われる。情報記録後、適正値Ｐｗ１ｂ、Ｐｗ０ｂからは比Ｑが演算で求められる（Ｑ＝Ｐｗ１ｂ／Ｐｗ０ｂ）。上記「Ｌａｙｅｒ０」、「Ｌａｙｅｒ１」それぞれへの情報記録の実施、適正記録パワーＰｗ１ｂ、Ｐｗ０ｂの設定、比Ｑの演算等は全て、ＤＳＰ８やマイコン９による制御によってなされる。
【００２２】
また、図５（ｂ）において、Ａ'は、光ディスクの記録再生層「Ｌａｙｅｒ０」の特性である。第２回目以降の情報記録時にＯＰＣ処理を実行する記録再生層としては、記録対象層として現在レーザ光が照射されている層、テスト領域の使用量や使用頻度が少ない層、または、前回、ＯＰＣ処理を実行しなかった層などを選択するものとし、本第２の実施形態でも、該第２回目以降のＯＰＣ処理として、「Ｌａｙｅｒ０」にＯＰＣ処理を実行するものとする。すなわち、記録再生層「Ｌａｙｅｒ０」に、ホストコンピュータ１３からの情報データが、記録パワーを変化させて記録され、その再生信号から、再生信号特性として、各記録パワーに対応するジッタ値が得られる。ジッタがジッタ閾値以下となる記録パワーの上限値はＰｗ０ｃ'、下限値はＰｗ０ａ'、適正値はＰｗ０ｂ'であり、該Ｐｗ０ｂ'が「Ｌａｙｅｒ０」に適する記録パワーとして設定される。一方、記録再生層「Ｌａｙｅｒ１」に適する記録パワーＰｗ１ｂ'は、演算処理により上記比Ｑと上記設定された記録パワーＰｗ０ｂ'との積として求められ（Ｐｗ１ｂ'＝Ｑ・Ｐｗ０ｂ'）、設定される。上記「Ｌａｙｅｒ０」への情報記録の実施、ジッタ閾値からの記録パワーＰｗ０ｂ'の設定、Ｐｗ１ｂ'の演算と設定等は全て、ＤＳＰ８やマイコン９による制御によってなされる。
【００２３】
上記を基本とする本第２の実施形態の光ディスク装置の動作手順は、上記図４に示した第１の実施形態の動作手順において、ステップＳ４０３及びステップＳ４０７では再生信号のジッタを測定し、ステップＳ４０４及びステップＳ４０８ではジッタ閾値以下の記録パワーの範囲（上限値、下限値）を求め、ステップＳ４０５及びステップＳ４０９では適正な記録パワーを設定し、ステップＳ４２２では、ＯＰＣ処理としては、記録パワーＰｗを変化させての情報信号の記録、記録情報の再生信号のジッタの測定、ジッタがジッタ閾値以下となる記録パワーの適正値の設定などを行う。他のステップは図４の場合と同様である。本第２の実施形態においても、第１回目の情報記録時のＯＰＣ処理動作及び第２回目以降の情報記録時のＯＰＣ処理動作は、ＤＳＰ８やマイコン９が、予め設定されているプログラムに従ってそれぞれの手順を実行することで実施される。
【００２４】
上記本発明の第２の実施形態によっても、第２回目以降の情報記録時のＯＰＣ処理を、記録再生層「Ｌａｙｅｒ０」（Ｌ０）、記録再生層「Ｌａｙｅｒ１」（Ｌ１）のいずれか一方にだけ行うため、ＯＰＣ処理の時間を短縮することができる。また、テスト領域（ＤＴＺ）の使用頻度の低減化や使用領域の低減化も可能となる。
【００２５】
図６は、本発明の第３の実施形態としての光ディスク装置におけるＯＰＣ処理の説明図である。本第３の実施形態では、ＯＰＣ処理において、再生信号のジッタから記録再生層に適するレーザ光の発光タイミングを求めて設定する。（ａ）は、光ディスクのローディング後、第1回目のＯＰＣ処理における発光タイミング設定の説明図、（ｂ）は、第２回目以降のＯＰＣ処理における発光タイミング設定の説明図である。いずれも、横軸に発光タイミングの時間シフト量、縦軸に再生信号のジッタをとった特性として示す。
【００２６】
図６（ａ）において、Ａは、光ディスクの２層の記録再生層のうちの「Ｌａｙｅｒ０」の特性、Ｂは、「Ｌａｙｅｒ１」の特性である。ローディング後、第１回目の情報記録時は、「Ｌａｙｅｒ０」、「Ｌａｙｅｒ１」のそれぞれに対してＯＰＣ処理を実施する。すなわち、記録再生層「Ｌａｙｅｒ０」、「Ｌａｙｅｒ１」にそれぞれ、ホストコンピュータ１３からの情報データを、レーザ光の発光タイミングを変化させて記録し、その再生信号から、再生信号特性として各発光タイミングの時間シフト量に対応するジッタ値σを得る。「Ｌａｙｅｒ０」、「Ｌａｙｅｒ１」のそれぞれにつき、ジッタ値σが、予め設定されたジッタ閾値以下となる時間シフト量の範囲（上限値、下限値）と適正値を求め、該適正値を、「Ｌａｙｅｒ０」、「Ｌａｙｅｒ１」それぞれに適する時間シフト量として設定する。「Ｌａｙｅｒ０」では、ジッタがジッタ閾値以下となる時間シフト量の上限値はＴ０ｃ、下限値はＴ０ａ、適正値はＴ０ｂである。また、「Ｌａｙｅｒ１」では、ジッタがジッタ閾値以下となる時間シフト量の上限値はＴ１ｃ、下限値はＴ１ａ、適正値はＴ１ｂである。第１回目の情報記録時、「Ｌａｙｅｒ０」では、上記設定された時間シフト量Ｔ０ｂのレーザ光が照射されてデータ領域に情報記録が行われ、「Ｌａｙｅｒ１」では、上記設定された時間シフト量Ｔ１ｂのレーザ光が照射されてデータ領域に情報記録が行われる。情報記録後、適正値Ｔ１ｂ、Ｔ０ｂからは差分△Ｔが演算で求められる（△Ｔ＝Ｔ１ｂ−Ｔ０ｂ）。上記「Ｌａｙｅｒ０」、「Ｌａｙｅｒ１」それぞれへの情報記録の実施、適正時間シフト量Ｔ１ｂ、Ｔ０ｂの設定、差分△Ｔの演算等は全て、ＤＳＰ８やマイコン９による制御によってなされる。
【００２７】
また、図６（ｂ）において、Ａ'は、光ディスクの記録再生層「Ｌａｙｅｒ０」の特性である。本第３の実施形態でも、該第２回目以降のＯＰＣ処理は、記録対象層として現在レーザ光が照射されている層、テスト領域の使用量や使用頻度が少ない層、または、前回、ＯＰＣ処理を実行しなかった層などを選択して行うとし、「Ｌａｙｅｒ０」に対して実行するものとする。すなわち、記録再生層「Ｌａｙｅｒ０」に、ホストコンピュータ１３からの情報データが、発光タイミングの時間シフト量を変化させて記録され、その再生信号から、再生信号特性として、各発光タイミングの時間シフト量に対応するジッタ値が得られる。ジッタがジッタ閾値以下となる時間シフト量の上限値はＴ０ｃ'、下限値はＴ０ａ'、適正値はＴ０ｂ'であり、該Ｔ０ｂ'が「Ｌａｙｅｒ０」に適する時間シフト量として設定される。一方、記録再生層「Ｌａｙｅｒ１」に適する時間シフト量Ｔ１ｂ'は、演算処理により上記差分△Ｔと上記設定された時間シフト量Ｔ０ｂ'との和として求められ（Ｔ１ｂ'＝Ｔ０ｂ'＋△Ｔ）、設定される。上記「Ｌａｙｅｒ０」への情報記録の実施、ジッタ閾値からの時間シフト量Ｔ０ｂ'の設定、Ｔ１ｂ'の演算と設定等は全て、ＤＳＰ８やマイコン９による制御によってなされる。
【００２８】
上記を基本とする本第３の実施形態の光ディスク装置の動作手順は、上記図４に示した第１の実施形態の動作手順において、ステップＳ４０３及びステップＳ４０７では再生信号のジッタを測定し、ステップＳ４０４及びステップＳ４０８ではジッタがジッタ閾値以下となる発光タイミングの時間シフト量の範囲（上限値、下限値）を求め、ステップＳ４０５及びステップＳ４０９では適正な時間シフト量を設定し、ステップＳ４２２では、ＯＰＣ処理としては、発光タイミングの時間シフト量Ｔを変化させての情報信号の記録、記録情報の再生信号のジッタの測定、ジッタがジッタ閾値以下となる発光タイミングの時間シフト量の適正値の設定などを行う。他のステップは図４の場合と同様である。本第３の実施形態においても、第１回目の情報記録時のＯＰＣ処理動作及び第２回目以降の情報記録時のＯＰＣ処理動作は、ＤＳＰ８やマイコン９が、予め設定されているプログラムに従ってそれぞれの手順を実行することで実施される。
【００２９】
上記本発明の第３の実施形態によっても、ＯＰＣ処理の時間を短縮することができる。また、テスト領域（ＤＴＺ）の使用頻度の低減化や使用領域の低減化も可能となる。
【００３０】
図７は、本発明の第４の実施形態としての光ディスク装置におけるＯＰＣ処理の説明図である。本第４の実施形態では、ＯＰＣ処理において、再生信号のシフト偏差（クロックパルスからのずれ量）から記録再生層に適するレーザ光の発光タイミングを求めて設定する。（ａ）は、光ディスクのローディング後、第1回目のＯＰＣ処理における発光タイミング設定の説明図、（ｂ）は、第２回目以降のＯＰＣ処理における発光タイミング設定の説明図である。いずれも、横軸に発光タイミングの時間シフト量、縦軸に再生信号のシフト偏差をとった特性として示す。
【００３１】
図７（ａ）において、Ａは、光ディスクの２層の記録再生層のうちの「Ｌａｙｅｒ０」の特性、Ｂは、「Ｌａｙｅｒ１」の特性である。ローディング後、第１回目の情報記録時は、「Ｌａｙｅｒ０」、「Ｌａｙｅｒ１」のそれぞれに対してＯＰＣ処理を実施する。すなわち、記録再生層「Ｌａｙｅｒ０」、「Ｌａｙｅｒ１」にそれぞれ、ホストコンピュータ１３からの情報データを、レーザ光の発光タイミングを変化させて記録し、その再生信号から、再生信号特性として各発光タイミングの時間シフト量に対応するシフト偏差を得る。「Ｌａｙｅｒ０」、「Ｌａｙｅｒ１」のそれぞれにつき、シフト偏差が、予め設定された目標偏差となる時間シフト量Ｔ０、Ｔ１を求め、該時間シフト量Ｔ０、Ｔ１をそれぞれ、「Ｌａｙｅｒ０」、「Ｌａｙｅｒ１」それぞれに適する時間シフト量として設定する。第１回目の情報記録時、「Ｌａｙｅｒ０」では、上記設定された時間シフト量Ｔ０のレーザ光が照射されてデータ領域に情報記録が行われ、「Ｌａｙｅｒ１」では、上記設定された時間シフト量Ｔ１のレーザ光が照射されてデータ領域に情報記録が行われる。情報記録後、適正値Ｔ１、Ｔ０からは差分△Ｔが演算で求められる（△Ｔ＝Ｔ１−Ｔ０）。上記「Ｌａｙｅｒ０」、「Ｌａｙｅｒ１」それぞれへの情報記録の実施、適正時間シフト量Ｔ１、Ｔ０の設定、差分△Ｔの演算等は全て、ＤＳＰ８やマイコン９による制御によってなされる。
【００３２】
また、図７（ｂ）において、Ａ'は、光ディスクの記録再生層「Ｌａｙｅｒ０」の特性である。本第４の実施形態でも、該第２回目以降のＯＰＣ処理は、記録対象層として現在レーザ光が照射されている層、テスト領域の使用量や使用頻度が少ない層、または、前回、ＯＰＣ処理を実行しなかった層などを選択して行うとし、「Ｌａｙｅｒ０」に対して実行するものとする。すなわち、記録再生層「Ｌａｙｅｒ０」に、ホストコンピュータ１３からの情報データが、発光タイミングの時間シフト量を変化させて記録され、その再生信号から、再生信号特性として、各発光タイミングの時間シフト量に対応する再生信号のシフト偏差が得られる。シフト偏差が目標偏差となる時間シフト量はＴ０'であり、該Ｔ０'が「Ｌａｙｅｒ０」に適する時間シフト量として設定される。一方、記録再生層「Ｌａｙｅｒ１」に適する時間シフト量Ｔ１'は、演算処理により上記差分△Ｔと上記設定された時間シフト量Ｔ０'との和として求められ（Ｔ１'＝Ｔ０'＋△Ｔ）、設定される。上記「Ｌａｙｅｒ０」への情報記録の実施、目標偏差からの時間シフト量Ｔ０'の設定、Ｔ１'の演算と設定等も全て、ＤＳＰ８やマイコン９による制御によってなされる。
【００３３】
本第４の実施形態の光ディスク装置の動作手順は、上記図４に示した第１の実施形態の動作手順において、ステップＳ４０３及びステップＳ４０７では再生信号のシフト偏差を測定し、ステップＳ４０４及びステップＳ４０８ではシフト偏差が目標偏差となる発光タイミングの時間シフト量を求め、ステップＳ４０５及びステップＳ４０９では適正な時間シフト量を設定し、ステップＳ４２２では、ＯＰＣ処理としては、発光タイミングの時間シフト量Ｔを変化させての情報信号の記録、記録情報の再生信号のシフト偏差の測定、シフト偏差が目標偏差となる発光タイミングの時間シフト量の適正値の設定などを行う。他のステップは図４の場合と同様である。本第４の実施形態においても、第１回目の情報記録時のＯＰＣ処理動作及び第２回目以降の情報記録時のＯＰＣ処理動作は、ＤＳＰ８やマイコン９が、予め設定されているプログラムに従ってそれぞれの手順を実行することで実施される。
【００３４】
上記本発明の第４の実施形態によっても、ＯＰＣ処理の時間を短縮することができる。また、テスト領域（ＤＴＺ）の使用頻度の低減化や使用領域の低減化も可能となる。
【００３５】
なお、上記各実施形態は、２つの記録再生層を有する光ディスクに信号記録を行う場合の例で説明したが、本発明はこれに限定されず、光ディスクは、３つ以上の記録再生層を有するものであってもよいし、また、ＤＶＤ＋ＲＷ、ＤＶＤ−ＲＷなどの書き換え型ディスクの多層版などであってもよい。
【図面の簡単な説明】
【００３６】
【図１】本発明の第１の実施形態としての光ディスク装置の構成例図である。
【図２】図１の装置の第１回目のＯＰＣ処理における記録パワー設定の説明図である。
【図３】図１の装置の第２回目以降のＯＰＣ処理における記録パワー設定の説明図である。
【図４】図１の装置における記録パワー設定の動作手順の説明図である。
【図５】本発明の第２の実施形態としての光ディスク装置におけるＯＰＣ処理の説明図である。
【図６】本発明の第３の実施形態としての光ディスク装置におけるＯＰＣ処理の説明図である。
【図７】本発明の第４の実施形態としての光ディスク装置におけるＯＰＣ処理の説明図である。
【符号の説明】
【００３７】
１…光ディスク、
２…ディスクモータ、
３…モータ駆動部、
４…光ピックアップ、
５…ピックアップ駆動部、
６…ＲＦ増幅部、
７…レーザ駆動部、
８…ＤＳＰ、
９…マイコン、
１０…メモリ、
１１…バッファメモリ、
１２…インターフェース部、
１３…ホストコンピュータ。
【図１】
2005259257.tif 000003
【図２】
2005259257.tif 000004
【図３】
2005259257.tif 000005
【図４】
2005259257.tif 000006
【図５】
2005259257.tif 000007
【図６】
2005259257.tif 000008
【図７】
2005259257.tif 000009